(57)【要約】連続入力画像（１４２−１４６）の第１系列（１００）と連続入力画像（１４８−１５２）の第２系列（１０２）とに基づく連続出力画像（１５４−１５８）の第３系列（１０４）を表示する画像ディスプレイ装置は、連続入力画像（１４２−１４６）の第１系列（１００）の画像を、第１部分（１０６−１１０）と対応する第２部分（１１８−１２２）とに分割し；連続入力画像（１４８−１５２）の第２系列（１０２）の画像を、第３部分（１１２−１１６）と対応する第４部分（１２４−１２８）とに分割し；及び第１部分（１０６−１１０）の第１のもの（１１０）に対応する第１ピクセルブロック（１３４）と第４部分（１２４−１２８）の第１のもの（１２８）に対応する第２ピクセルブロック（１４０）とを有する出力画像（１５４-１５８）の第１画像（１５８）を表示するように、構成されている。
2005520408.tif 000002
【特許請求の範囲】
【請求項１】
‐  連続入力画像の第１系列を表す第１ビデオ信号を受信する第１受信手段、
‐  連続入力画像の第２系列を表す第２ビデオ信号を受信する第２受信手段、並びに
‐  連続入力画像の前記第１系列と連続入力画像の前記第２系列とに基づく、連続出力画像の第３系列を表示するディスプレイ装置、
を有する画像ディスプレイ装置において、前記画像ディスプレイ装置が
‐  連続入力画像の前記第１系列の前記画像を、第１部分と、対応する第２部分とに分割し、
‐  連続入力画像の前記第２系列の前記画像を、第３部分と、対応する第４部分とに分割し、並びに
‐  前記第１部分の第１のものに対応する第１ピクセルブロックと、前記第４部分の第１のものに対応する第２ピクセルブロックとを有する前記出力画像の第１出力画像を表示する、
ように構成されていることを特徴とする画像ディスプレイ装置。
【請求項２】
前記第４部分が、バナーの各部分に対応することを特徴とする、請求項１に記載の画像ディスプレイ装置。
【請求項３】
前記第４部分が、字幕に対応することを特徴とする、請求項１に記載の画像ディスプレイ装置。
【請求項４】
連続入力画像の前記第２系列の前記画像の分割を制御するために、前記第４部分の位置情報を供給するユーザインターフェース手段を有することを特徴とする、請求項１に記載の画像のディスプレイ装置。
【請求項５】
前記位置情報の記憶のための第１メモリ装置を有することを特徴とする、請求項４に記載の画像ディスプレイ装置。
【請求項６】
前記第１部分をスケーリングするスケーリング手段を有することを特徴とする、請求項１に記載の画像ディスプレイ装置。
【請求項７】
前記第２ピクセルブロックの第１ピクセルに、前記第１ピクセルの元のカラー値に基づいて、新しいカラー値を割り当てる処理手段を有することを特徴とする、請求項１に記載の画像ディスプレイ装置。
【請求項８】
‐  連続入力画像の第１系列を表す第１ビデオ信号を受信する第１受信手段、及び
‐  連続入力画像の第２系列を表す第２ビデオ信号を受信する第２受信手段、
を有する、連続入力画像の前記第１系列と連続入力画像の前記第２系列とに基づく連続出力画像の第３系列を表示する方法において、前記方法が
‐  連続入力画像の前記第１系列の前記画像を、第１部分と、対応する第２部分とに分割する第１分割手段、
‐  連続入力画像の前記第２系列の前記画像を、第３部分と、対応する第４部分とに分割する第２分割手段、並びに
‐  前記第１部分の第１のものに対応する第１ピクセルブロックと、前記第４部分の第１のものに対応する第２ピクセルブロックとを有する前記出力画像の第１のものを表示する表示ステップ、
を有することを特徴とする方法。
【請求項９】
請求項１に記載の画像ディスプレイ装置を有するテレビジョン装置。
【発明の詳細な説明】
【技術分野】
【０００１】
本発明は、
‐  連続入力画像の第１系列を表す第１ビデオ信号を受信する第１受信手段、
‐  連続入力画像の第２系列を表す第２ビデオ信号を受信する第２受信手段、及び
‐  連続入力画像の第１系列と連続入力画像の第２系列とに基づく連続出力画像の第３系列を表示するディスプレイ装置、
を有する画像ディスプレイ装置に関する。
【０００２】
本発明は、更に、
‐  連続入力画像の第１系列を表す第１ビデオ信号を受信する第１受信ステップ、及び
‐  連続入力画像の第２系列を表す第２ビデオ信号を受信する第２受信ステップ、
を有する連続入力画像の第１系列と連続入力画像の第２系列とに基づく連続出力画像の第３系列を表示する方法にも関する。
【０００３】
本発明は、更に、このような画像ディスプレイ装置を有するテレビジョン装置にも関する。
【背景技術】
【０００４】
ビデオ放送において、視聴者にテキストの情報を伝達するために、字幕が使用されている。字幕は、オーディオ／ビデオ放送に付随し、視聴者に、放送からは知覚することができないであろう補足情報を提供する。字幕は、例えば、オーディオ録音帯内に録音されている話し言語を、書き言語として表示することにより、聴覚障害を持つ視聴者を支援するために、頻繁に使用されている。他の例は、字幕がオーディオ録音帯内に録音されている話し言語と異なる言語によって表示される場合である。更に、字幕は、対応するオーディオ／ビデオ放送の題目と関係していない重要な情報を伝達するために使用され得る。この場合には、字幕は、緊急情報、スポーツスコア、天気予報又は株式取引の情報のような最新ニュースを表す。しばしば、前記情報はバナーによって提供される。テキスト情報は、ディスプレイ装置のディスプレイスクリーンに対して動く。典型的には、この運動の方向は水平又は垂直方向である。
【発明の開示】
【発明が解決しようとする課題】
【０００５】
テレビ放送、又はビデオテープ若しくはビデオディスクのようなビデオ再生において、字幕又はバナーは、放送に予め重ねられ、受信画像の一部となる。従って、字幕又はバナーの情報の表示は、他方のビデオ内容の表示と関連づけられている。多くの場合、これは不都合である。ユーザは、バナー又は字幕によって伝達されるテキスト情報には興味を持つが、該テキスト情報が関連付けられている他方の画像のビデオ内容には興味がないことがあり得る。例えば、ユーザはその合間に他のチャネルを見たいからである。一部の画像ディスプレイ装置は、「ピクチャインピクチャ」として知られているフィーチャを提供している。米国特許第ＵＳ５１３０８００号明細書においては、別個のビデオ信号からの複数の映像（ピクチャ）が、１つの画像ディスプレイ装置の表示器上に同時に表示されることが記載されている。しかしながら、この場合、少なくとも１つのビデオ信号からの映像の大きさは、サブサンプリングによって大幅に縮小される。このサブサンプリングは、バナー又は字幕の読み易さに対するマイナスの影響を持つ。
【０００６】
本発明の目的は、冒頭段落に記載されている種類の画像ディスプレイ装置であって、該装置上には、入力画像の第１系列から発生する画像の部分と、入力画像の第２系列から発生する画像の部分とが同時に表示されることができ、それでいて、前記部分によって伝達される関連した情報の見易さが維持される画像ディスプレイ装置を提供することにある。
【課題を解決するための手段】
【０００７】
本発明の目的は、画像ディスプレイ装置が、
‐  連続入力画像の第１系列の画像を、第１部分と、対応する第２部分とに分割し、
‐  連続入力画像の第２系列の画像を、第３部分と、対応する第４部分とに分割し、並びに
‐  前記第１部分の第１のものに対応する第１ピクセルブロックと前記第４部分の第１のものに対応する第２ピクセルブロックとを有する出力画像の第１出力画像を表示する、
ように構成されることで達成される。
【０００８】
入力画像の系列から、関連がある部分が選択され、結合されて出力画像となって表示される。これは、テキスト情報がバナー又は字幕によって伝達される場合に、特に都合が良い。次いで、入力画像の第１系列から発生する画像の部分は、入力画像の第２系列から発生する画像の部分と同時に表示されると同時に、前記部分によって伝達されるテキスト情報の読み易さが維持される。
【０００９】
本発明による画像ディスプレイ装置の実施例は、連続入力画像の系列の画像の分割を制御するために、第１部分の位置情報を供給するユーザインターフェース手段を有する。当該画像ディスプレイ装置のデフォルト表示モードにおいては、ディスプレイ装置全体は、入力画像の系列の一方のみからの画像を用いて規則的に更新されると仮定する。しかしながら、受信した入力画像が別個の部分を有する場合、該画像を第１部分と第２部分とに分割し、該第１部分の表示を該第２部分の表示とは独立に制御することが有利である。第２部分に対しての第１部分の位置情報が、受信した入力画像を分割するために必要である。第１の選択肢は、画像ディスプレイ装置のユーザがこの情報を供給することである。例えば、グラフィックスボックスをドラッグすることによって、又は一種のオーバーレイとしてディスプレイ装置上に表示されるグラフィックスラインの操作によって供給する。入力画像の自動分割は、位置情報を決定するための他の選択肢である。動き推定は、この分割の良い基準である。代替的には、位置情報は放送によって供給される。
【００１０】
本発明による画像ディスプレイ装置の実施例は、位置情報の記憶のために第１メモリ装置を有する。位置情報は、比較的一定である。位置情報を記憶することにより、位置情報を再び決定する又は供給することは、もはや必要ではなくなる。オプションとして、位置情報の複数の例は、さまざまな放送チャネルに対してプリセットとして与えられるものとして記憶される。この場合、当該画像ディスプレイ装置のユーザは、リモコンのボタンを１回押すことにより、必要な表示モード即ち分割表示モードを開始することができる。オプションとして、画像ディスプレイ装置は、ディスプレイ全体が規則的に更新されるデフォルトの表示モードから、分割表示モードへと自動的に切り替える。この切り替えは、「バナーイベント」即ちバナーの存在が検出されることによって、起動されることができる。
【００１１】
本発明による画像ディスプレイ装置の実施例は、第１部分をスケーリングするスケーリング手段を有する。デフォルトの分割においては、第１系列の画像及び第２系列の画像の両方は、同一の位置情報に基づいて分割されると仮定する。例えば、画像の１／４の高さにおいて分割される。このことは、第１部分が第１系列の各入力画像の３／４に対応し、第２部分が第１系列の各入力画像の１／４に対応し、第３部分が第２系列の各入力画像の３／４に対応し、及び第４部分が第２系列の各入力画像の１／４に対応することを意味する。このような場合において、前記第１部分の第１画像は、前記第４部分の第１画像と直接的に結合される。しかしながら、別個の系列の画像に対する分割が、同一の位置情報に基づいていない場合、スケーリングを、部分のグループに適用することができる。例えば、第２系列の画像の分割が１／６の高さであり、第１系列の画像の分割が１／４の高さにおけるものである場合、第４部分に３／２の垂直スケーリングが適用されるべきである。これにより、出力画像は第１部分の複製と第４部分の垂直スケーリングされたバージョンとを有するようになる。第４及び第１部分の両方のスケーリングが、代替的な取り組み方である。
【００１２】
本発明による画像ディスプレイ装置の実施例は、第２ピクセルブロックの第１ピクセルに、該第１ピクセルの元のカラー値に基づいて、新しいカラー値を割り当てる処理手段を有する。前記ブロックのグループの一方のピクセルのカラー調節は、画像ディスプレイ装置の視聴者に、表示モード即ち分割表示モードについて知らせることが必要である場合に都合が良い。言い換えれば、視聴者は、出力画像が入力画像の別個の系列に基づいていると容易に観察することができる。更に、前記情報の読み易さを、カラー調節によって向上させることができる。代替的には、前記ブロックのグループの一方のピクセルの輝度は、前記ブロックのグループの他方のピクセルとは独立に調節される。好ましい実施例においては、ＬＵＴ（ルックアップテーブル）がカラー調節に適用される。
【００１３】
本発明の更なる目的は、冒頭段落に記載した種類の方法であって、該方法によって、入力画像の第１系列から発生する画像の部分を、入力画像の第２系列から発生する画像と同時に表示することができると同時に、前記部分によって伝達される関連した情報の読み易さが維持される方法を提供することにある。
【００１４】
本発明の目的は、前記方法が
‐  連続入力画像の第１系列の画像を、第１部分と、対応する第２部分とに分割する第１分割ステップ、
‐  連続入力画像の第２系列の画像を、第３部分と、対応する第４部分とに分割する第２分割ステップ、並びに
‐  前記第１部分の第１のものに対応する第１ピクセルブロックと、前記第４部分の第１のものに対応する第２ピクセルブロックとを有する出力画像の第１出力画像を表示する表示ステップ、
を有することによって達成される。
【００１５】
当該画像ディスプレイ装置の修正、及びその変形は、記載されている方法の当該装置の修正及びその変形に対応する。
テレビジョン装置及び本発明による方法に関する画像ディスプレイ装置のこれら及び他の見地は、本明細書に記載される実施及び実施例を考慮し、添付図面を参照することによって、明らかになり、解説されるであろう。
【発明を実施するための最良の形態】
【００１６】
全ての図において、対応する符号は、同一又は同様の意味を有する。
【００１７】
図１は、入力画像１４２−１５２の２つの系列１００、１０２、及び本発明による出力画像１５４−１５８の系列１０４を模式的に示している。画像１４２−１４６は、スポーツゲームの一部を表している。画像１４８−１５２は車の番組の一部を表している。これに加えて、テキスト情報が、画像１４８−１５２の下部１２４−１２８に設けられている。連続出力画像１５４−１５８の第１出力画像１５８は、連続入力画像１４２−１４６の第１系列の第１入力画像１４６の第１連続ピクセルブロック１１０に対応する第１部分１３４と、連続入力画像１４８−１５２の第２系列の第１入力画像１５２の第２連続ピクセルブロック１２８に対応する第２部分１４０とを有する。連続出力画像１５４−１５８の第２出力画像１５６は、連続入力画像１４２−１４６の第１系列の第２入力画像１４４の第３連続ピクセルブロック１０８に対応する第１部分１３２と、連続入力画像１４８−１５２の第２系列の第２入力画像１５０の第４連続ピクセルブロック１２６に対応する第４部分１３８とを有する。従って、出力画像１５４−１５８は、第１系列の各入力画像１４２−１４６の第１部分１０６−１１０に対応するピクセルブロック１３０−１３４を有すと共に、第２系列の各入力画像１４８−１５２の第４部分１２４−１２８に対応するピクセルブロック１３６−１４０を有する。
【００１８】
図２は、入力画像１４８の第１部分１１２及び第２部分１２４の間の分割を制御するユーザインターフェースの実施例を模式的に示している。ディスプレイ装置３０６上に、グラフィックスライン２００が入力画像１４８のオーバーレイとして描かれている。画像ディスプレイ装置３００のユーザは、画像ディスプレイ装置３００のリモコンのプラス又はマイナスボタンを押すことによって、前記ラインの位置を変更することができる。ディスプレイのこのような操作は、ディスプレイ装置３００のＯＳＤ（オン  スクリーン  ディスプレイ）フィーチャ、及び／又はディスプレイ装置３００の他のグラフィックスフィーチャの利便性を利用することで達成できる。ライン２００の位置は、入力画像の系列１０２の画像１４８−１５２を、第１部分１１２−１１６及び第２部分１２４−１２８とに分割するために必要である位置情報に対応する。オプションとして、ライン２００の位置は、メモリ装置内に記憶される。複数の例は、例えば、チャネル１用の第１位置、チャネル２用の第２位置、…、のように記憶されることが好ましい。
【００１９】
図３は、以下の方法を有する画像ディスプレイ装置３００の実施例を模式的に示している。
‐  連続入力画像の第１系列１００の入力画像１４２−１４６を表す信号を受信する第１受信手段３０１。前記信号は、アンテナ又はケーブルを介して受信する放送信号であり得るが、ＶＣＲ（ビデオ  カセット  レコーダ）又はデジタル多用途ディスク（ＤＶＤ）のような記憶装置からの信号でもあり得る。前記信号は、入力コネクタ３０８において供給される。第１受信手段は、供給される信号から入力画像１４２−１４６を抽出するために、第１所定周波数帯にチューニングされるように構成されている。
‐  連続入力画像の第２系列１０２の入力画像１４８−１５２を表す信号を受信する第２受信手段３０２。第２受信手段３０２は、供給される信号から入力画像１４８−１５２を抽出するために、第２所定周波数帯にチューニングされるように構成されている。
‐  出力画像１５４−１５８を、入力画像１４２−１５２に基づいて作成する処理手段３０４。処理手段３０４は、入ってくるデータ、即ち入力画像のピクセル値をバッファするメモリ装置を有する。出力画像１５４−１５８を作成するために必要なピクセル値は、適切な順番でメモリ装置から読み出されるべきである。
‐  出力画像１５４−１５８を表示する表示手段。この表示手段は、任意選択である。この機能性は、例えば、セットトップボックスを利用することによって、展開することもできる。このような場合、前記表示は、テレビジョン装置によってなされ、前記処理の他の部分はセットトップボックスによってなされる。
【００２０】
図４Ａは、部分１２８を再配置する例を模式的に示している。図４Ａは、出力画像４０６が、該出力画像４０６の下部に位置する第１ピクセルブロック４１０を有することを示している。この第１ピクセルブロック４１０は、入力画像の第１系列１００の第１画像１４２の下部に位置する第１部分４０４に対応する。出力画像４０６は、更に、該出力画像４０６の上側に位置する第２ピクセルブロック４０８を有する。この第２ピクセルブロック４０８は、入力画像の第２系列１０２の第１画像１５２の下部に位置する第４部分１２８に対応する。この再配置は、メモリ装置によって簡単に実行することができる。
【００２１】
図４Ｂは、部分１２８及び１０６を再配置する例を模式的に示している。図４Ｂは、出力画像４１４が、該出力画像４１４の下側に位置する第１ピクセルブロック４１２を有することを示している。この第１ピクセルブロック４１２は、入力画像の第１系列１００の第１画像１４２の上部に位置する第１部分１０６に対応する。出力画像４１４は、更に、該出力画像４１４の上側に位置する第２ピクセルブロック４０８を有する。この第２ブロック４０８は、入力画像の第２系列１０２の第１画像１５２の下部に位置する第４部分１２８に対応する。
【００２２】
図５Ａは、部分１２８のスケーリングの例を模式的に示している。図５Ａは、出力画像５０６が、該出力画像５０６の下側に位置する第１ピクセルブロック５１０を有することを示している。この第１ピクセルブロック５１０は、入力画像の第１系列１００の第１画像１４２の下部に位置する第１部分５０４に対応する。出力画像５０６は、更に、該出力画像５０６の上側に位置する第２ピクセルブロック５０８を有する。この第２ピクセルブロック５０８は、入力画像の第２系列１０２の第１画像１５２の下部に位置する垂直スケーリングされた第４部分１２８に対応する。第４部分１２８は、拡大されている。
【００２３】
図５Ｂは、スケーリング部分１２８及び５１６の例を模式的に示している。図５Ａは、出力画像５１２が、該出力画像５１２の下側に位置する第１ピクセルブロック５１８を有することを示している。この第１ピクセルブロック５１８は、入力画像の第１系列１００の第１画像１４２の下部に位置する垂直スケーリングされた第１部分５１６に対応する。出力画像５１２は、更に、該出力画像５１２の上側に位置する第２ピクセルブロック５０８を有する。この第２ピクセルブロック５０８は、入力画像の第２系列１０２の第１画像１５２の下部に位置する垂直スケーリングされた第４部分１２８に対応する。第１部分５１６が縮小されている一方で、第４部分１２８は拡大されている。
【００２４】
視聴者が、出力画像の下側又は上側のいずれかにおいて興味のあるテーマを見る場合、ユーザは、最小限の対話によって、対応する興味のあるチャネルに切り替えることができる。これは、幾つかの例によって説明されるであろう。視聴者が、ＭＴＶ（音楽）からのバナーと共にニュースチャネルを見ている場合を想定する。視聴者は、興味のある歌がＭＴＶからのバナー上に表示されるのを待っているが、ニュースを見ている。
【００２５】
視聴者は、視聴しているチャネルから、バナー状にしているチャネルへと素早く切り替えることを望むであろう。この切り替えは、視聴者に幾つかのチャネルを扱わせるチャネルリモコンを介すことなく、ワンボタプッシュのみであるべきである。上述の例と同様であるが、わずかに高度な例を説明する。視聴者が、歌がバナー上に出るのを待っいるが、ＭＴＶチャネルを視聴するように移動することは望まないものの、このチャネルからの音声を聞きたいと望む場合である。これもまた、ワンボタンモードで可能である。又は、視聴者が、チャネルの分割されたチャネル‐バナー視聴から、両方のチャネルがディスプレイ上に表示されるＰＩＰ（ピクチャインピクチャ）モードへ切り替えたいと望むかもしれない。
【００２６】
図６は、カラー調節の例を模式的に示している。図６は、出力画像６０２が、該出力画像６０２の下側に位置する第１ピクセルブロック４１０を有することを示している。この第１ピクセルブロック４１０は、入力画像の第１系列１００の第１画像１４２の第１部分４０４に対応する。出力画像６０２は、更に、該出力画像６０２の下部に位置する第２ピクセルブロック６０４を有する。この第２ピクセルブロック６０４は、入力画像の第２系列１０２の第１画像１５２の第４部分１２８から得られる。第２ピクセルブロック６０４のピクセル値は、第４部分１２８のピクセル値を入力オペランドとするＬＵＴ処理によって、決定される。カラー調節は、グレースケール又は白黒によるバナーのレンダリングも意味する。
【００２７】
上述の実施例は、本発明を限定するよりは解説するものであること、及び当業者であれば添付請求項の範囲から逸脱することなしに、代替的な実施例を設計できることに留意されたい。前記請求項において、小括弧内に置かれた如何なる符号も、請求項を限定するようにみなしてはならない。「有す」という語は、請求項に記載されていない構成要素又はステップの存在を排除するものではない。単数形の構成要素は、複数のこのような構成要素を排除するものではない。本発明は、幾つか別個の構成要素を有するハードウェアによって、及び適当にプログラムされたコンピュータによって実施化することができる。当該ユニットにおいて、幾つかの手段を列挙している装置請求項において、これらの手段の幾つかは１つの同じハードウェアの項目によって、実施化することができる。
【図面の簡単な説明】
【００２８】
【図１】図１は、入力画像の２つの系列と本発明による出力画像の系列とを模式的に示している。
【図２】図２は、分割の制御のためのユーザインターフェースの実施例を模式的に示している。
【図３】図３は、画像表示装置の実施例を模式的に示している。
【図４Ａ】図４Ａは、部分を再配置する例を模式的に示している。
【図４Ｂ】図４Ｂは、部分を再配置例を模式的に示している。
【図５Ａ】図５Ａは、スケーリング部分の例を模式的に示している。
【図５Ｂ】図５Ｂは、スケーリング部分の例を模式的に示している。
【図６】図６は、カラー調節の例を模式的に示している。
【図１】
2005520408.tif 000003
【図２】
2005520408.tif 000004
【図３】
2005520408.tif 000005
【図４Ａ】
2005520408.tif 000006
【図４Ｂ】
2005520408.tif 000007
【図５Ａ】
2005520408.tif 000008
【図５Ｂ】
2005520408.tif 000009
【図６】
2005520408.tif 000010
【国際調査報告】
2005520408.tif 000011
2005520408.tif 000012
2005520408.tif 000013